(57)【特許請求の範囲】
【請求項１】
複数のポスターが設置されるポスター部と、
前記ポスター部に隣接する位置に設置されるレールと、
前記レールにスライド移動可能に設置されるコンテンツ再生デバイスと、
前記コンテンツ再生デバイスが近接するポスターを検出するセンサと、
前記センサの検出結果から決定された前記コンテンツ再生デバイスに近接するポスターに対応するコンテンツを前記コンテンツ再生デバイスで再生し、前記コンテンツに対応する処理を実行する制御部と、を備えることを特徴とする情報表示装置。
【請求項２】
前記コンテンツ再生デバイスは、ディスプレイ装置および/またはスピーカを備えることを特徴とする請求項１記載の情報表示装置。
【請求項３】
前記制御部は、前記ポスターに対応するコンテンツを格納するコンテンツ・データベースを備え、前記センサの検出結果から決定された前記コンテンツ再生デバイスに近接するポスターに対応するコンテンツを前記コンテンツ・データベースから読み出して前記コンテンツ再生デバイスで再生することを特徴とする請求項１または２記載の情報表示装置。
【請求項４】
前記センサは複数のスイッチであり、前記コンテンツ再生デバイスがスライドするスライド部分に、前記ポスターに対応して設けられ、前記コンテンツ再生デバイスが前記ポスターに近接して存在する場合に、前記ポスターに対応して設けられた前記スイッチがオンになるように設定されることを特徴とする請求項１記載の情報表示装置。
【請求項５】
前記センサは前記コンテンツ再生デバイスに設けられたICタグ読み取り装置であり、前記ポスターに取り付けられたICタグを読み取ることにより、前記コンテンツ再生デバイスが近接するポスターを識別することを特徴とする請求項１記載の情報表示装置。
【請求項６】
前記コンテンツ再生デバイスは入力装置をさらに有し、
前記制御部は、前記入力装置によるユーザ入力に対応したコンテンツを前記コンテンツ再生デバイスで再生し、前記コンテンツに対応する処理を実行することを特徴とする請求項１または２記載の情報表示装置。
【請求項７】
前記入力装置はタッチパネルおよび/またはICカード読み取り装置であることを特徴とする請求項６記載の情報表示装置。
【請求項８】
前記制御部は通信部を有し、前記通信部を介してメール・サーバに接続され、
前記コンテンツにおいてクーポン発行を可能とする場合に、前記制御部は、前記コンテンツ再生デバイスでクーポン発行が可能である旨のコンテンツを表示し、
ユーザがICカードを前記ICカード読み取り装置に読み取らせクーポンの発行を依頼した場合に、
前記制御部が、前記メール・サーバに対して、前記ICカードに対応するユーザのアドレス宛てにクーポン・メールを送付するよう指示し、
前記メール・サーバが前記アドレス宛てにクーポン・メールを送付することを特徴とする請求項７記載の情報表示装置。
【請求項９】
前記制御部は通信部を有し、前記通信部を介してPOSシステムに接続され、
前記コンテンツにPOSシステムのデータを埋め込み、前記コンテンツ再生デバイスにより前記コンテンツを再生することを特徴とする請求項１記載の情報表示装置。
【請求項１０】
前記制御部は通信部を有し、前記通信部を介して空席予約システムに接続され、
前記コンテンツにおいて座席予約を可能とする場合に、前記制御部は、前記コンテンツ再生デバイスで座席予約が可能である旨のコンテンツを表示し、
ユーザがICカードを前記ICカード読み取り装置に読み取らせた場合に、
前記制御部は、前記空席予約システムにアクセスし、前記空席予約システムに座席予約を指示し、
前記空席予約システムは座席を予約するとともに、前記メール・サーバに前記ICカードに対応するユーザのアドレスに対して予約情報をメールすることを特徴とする請求項８記載の情報表示装置。
【請求項１１】
前記ポスター部は複数のポスターを水平方向に並べて設置し、
前記コンテンツ再生デバイスは、前記複数のポスターに隣接して水平方向にスライドすることを特徴とする請求項１記載の情報表示装置。
【請求項１２】
前記ポスター部は複数のポスターを縦に並べて設置し、
前記コンテンツ再生デバイスは、前記複数のポスターに隣接して垂直方向にスライドすることを特徴とする請求項１記載の情報表示装置。
【請求項１３】
前記ポスター部は複数のポスターを水平方向および縦方向に並べて設置し、
前記コンテンツ再生デバイスは、前記複数のポスターに隣接して垂直方向および水平方向にスライドすることを特徴とする請求項１記載の情報表示装置。
【請求項１４】
前記コンテンツ再生デバイスは、ユーザが規定時間を越えて前記コンテンツ再生デバイスをスライドまたは操作しない場合に、待ち受け画面を表示することを特徴とする請求項１記載の情報表示装置。
【発明の詳細な説明】
【技術分野】
【０００１】
本発明は、情報表示装置に関し、さらに詳しくは、ポスター広告等の実オブジェクトとともに、ユーザとのインタラクティブな操作によりそれらの関連情報を出力する出力装置を有する情報表示装置に関する。
【背景技術】
【０００２】
広告等の情報を提供する装置としては、従来、以下のようなものが提案されている。
すなわち、商品棚に置かれた商品の前に、ＰＯＰ（point-of-purchase）広告とディスプレイを組み合わせて配置する情報提供装置（特許文献１参照）や、ポスターにＲＦＩＤ（radio frequency identification：無線ＩＣタグ）やＱＲコード（quick response code）、電子透かしを付与する方法、タッチパネル・ディスプレイにより表示されている情報に関連する情報をインタラクティブに提供する方法（非特許文献１）、薄型のリモートコントローラが埋め込まれたシート状の電子雑誌とインターネット接続された端末により、電子雑誌上でユーザが触れた部分を検出し、端末がその部分に対応するＵＲＬ（uniform resource locator）にインターネット接続することによりその内容を端末上に表示する方法（特許文献２）がある。
【０００３】
【特許文献１】特開平７−１３４５５５
【非特許文献１】「ぴあ、街頭にタッチパネル」、『日経ＭＪ』、２００５年５月２０日
【特許文献２】特開平１１−２５９４００
【発明の開示】
【発明が解決しようとする課題】
【０００４】
上記の特許文献１の情報提供装置は、商品棚に置かれた商品の前に印刷や写真による広告表示と小型画像表示装置による映像・音声による広告出力を行うことが可能であるが、商品等の提供側がユーザに対して一方的に広告を出力するものであり、ユーザの興味に応じたインタラクティブな情報提供を行うことができないという問題がある。
【０００５】
さらに、ポスターにＲＦＩＤタグやＱＲコード、電子透かしを付与する方法は、ＲＦＩＤタグ、ＱＲタグ、電子透かしに、関連する情報や関連する情報へのアクセス手段を格納しておき、ユーザがこれらのタグや電子透かしに読み取り装置付きの端末を近づけて情報を読み取らせることにより、関連する情報を表示させたり、関連する情報へアクセスすることが可能である。しかしながら、ユーザは、タグや電子透かしの読み取り装置や表示装置、サーバ・アクセス機能をその場に持っていなければ使用できないという問題がある。
【０００６】
また、非特許文献１のタッチパネル・ディスプレイは、表示されている情報に関連する情報が、ユーザのインタラクティブな操作により提供されるが、タッチパネル・ディスプレイ上に表示された情報を元として、インタラクティブな操作により表示が更新されていく形式を採るため、最初に興味をもった情報とその後に更新された関連する情報を対照して見ることができない。
また、タッチパネル・ディスプレイは、ポスターに比べて単位面性あたりのコストが高くなってしまうため、経済性に劣るという問題がある。加えて、タッチパネル・ディスプレイは、ポスターに比べて解像度が低くなってしまうため、視認性に劣るという問題がある。
【０００７】
さらに、特許文献２の電子雑誌と端末による方法は、雑誌という普段身の回りにある実体が、関連する情報を表示させるためのスイッチになるもので、このスイッチによる関連情報取得は、自然ではなく、説明がないと分かりにくいという問題がある。また、電子雑誌という特殊な媒体が必要であるという問題もある。
さらに、以上に挙げたどの方法も、ユーザに対して、元にある商品やポスター、ディスプレイ表示内容、電子雑誌の内容以外の情報にも興味を抱かせ、情報を提供する機会を増やすような仕組みは提供されていない。
【０００８】
本発明は、以上の問題点に鑑みてなされたものであり、その目的とするところは、ポスター広告等の実オブジェクト情報に興味を持ったユーザが、特別な機器を必要とすることなく、直感的な操作で、関連する情報を実オブジェクト情報に加えて得ることが可能で、また、情報提供者がユーザに対し情報提供の機会を増やす仕組みを備えた情報表示装置を提供することである。
【課題を解決するための手段】
【０００９】
前述する課題を解決するための本発明は、複数のポスターが設置されるポスター部と、ポスター部に隣接しする位置に設置されるレールと、レールにスライド移動可能に設置されるコンテンツ再生デバイスと、コンテンツ再生デバイスが近接するポスターを検出するセンサと、センサの検出結果から決定されたコンテンツ再生デバイスに近接するポスターに対応するコンテンツをコンテンツ再生デバイスで再生し、コンテンツに対応する処理を実行する制御部と、を備えることを特徴とする情報表示装置である。
コンテンツ再生デバイスは、ディスプレイ装置および/またはスピーカを備えることが好ましい。
【００１０】
制御部は、ポスターに対応するコンテンツを格納するコンテンツ・データベースを備え、センサの検出結果から決定されたコンテンツ再生デバイスに近接するポスターに対応するコンテンツをコンテンツ・データベースから読み出してコンテンツ再生デバイスで再生する。
【００１１】
また、センサは複数のスイッチであり、コンテンツ再生デバイスがスライドするスライド部分に、ポスターに対応して設けられ、コンテンツ再生デバイスが前記ポスターに近接して存在する場合に、ポスターに対応して設けられたスイッチがオンになるように設定されるようにしてもよいし、センサはコンテンツ再生デバイスに設けられたICタグ読み取り装置であり、ポスターに取り付けられたICタグを読み取ることにより、コンテンツ再生デバイスが近接するポスターを識別するようにしてもよい。
【００１２】
以上のような情報処理装置により、ポスター部に設置された複数のポスターのなかで興味を持ったポスターにユーザがコンテンツ再生デバイスをスライド移動させて持っていくと、センサが、コンテンツ再生デバイスが隣接しているポスターを識別し、識別情報を制御部に送り、制御部は、この識別情報を元に、コンテンツ・データベースからコンテンツ再生デバイスが隣接しているポスターに対応するコンテンツを読み出し、コンテンツ再生デバイスに出力することが可能になる。
【００１３】
コンテンツ再生デバイスは入力装置をさらに有し、制御部は、入力装置によるユーザ入力に対応したコンテンツをコンテンツ再生デバイスで再生し、コンテンツに対応する処理を実行する。入力装置はタッチパネルおよび/またはＩＣカード読み取り装置であることが望ましい。
入力装置を設けることにより、コンテンツ再生デバイス上に再生した情報に加えて、ユーザのインタラクティブな操作により更なる情報やサービスを提供することが可能になる。
【００１４】
また、好ましくは、制御部は通信部を有し、通信部を介してメール・サーバに接続され、コンテンツにおいてクーポン発行を可能とする場合に、制御部は、コンテンツ再生デバイスでクーポン発行が可能である旨のコンテンツを表示し、ユーザがＩＣカードをＩＣカード読み取り装置に読み取らせクーポンの発行を依頼した場合に、制御部が、メール・サーバに対して、ＩＣカードに対応するユーザのアドレス宛てにクーポン・メールを送付するよう指示し、メール・サーバがアドレス宛てにクーポン・メールを送付する。
以上のように、制御部を、通信部を介してメール・サーバに接続することにより、コンテンツ再生デバイスに出力されるコンテンツにおいてクーポンの発行が可能になる。ユーザはＩＣカードをＩＣカード読み取り装置にかざすことで、自身の携帯電話等の端末にクーポン・メールを受信することが可能である。
【００１５】
また、好ましくは、制御部は通信部を有し、通信部を介してＰＯＳシステムに接続され、コンテンツにＰＯＳシステムのデータを埋め込み、コンテンツ再生デバイスによりコンテンツを再生する。
これにより、コンテンツ再生デバイス上で、例えば、売れ筋商品名等のＰＯＳシステムのデータを含んだコンテンツを再生することが可能になる。
【００１６】
また、好ましくは、制御部は通信部を有し、通信部を介して空席予約システムに接続され、コンテンツにおいて座席予約を可能とする場合に、制御部は、コンテンツ再生デバイスで座席予約が可能である旨のコンテンツを表示し、ユーザがＩＣカードをＩＣカード読み取り装置に読み取らせた場合に、制御部は、空席予約システムにアクセスし、空席予約システムに座席予約を指示し、空席予約システムは座席を予約するとともに、メール・サーバにＩＣカードに対応するユーザのアドレスに対して予約情報をメールする。
これにより、コンテンツ再生デバイス上に出力されるコンテンツにより、座席予約が可能になる。
【００１７】
ポスター部は複数のポスターを水平方向に並べて設置し、コンテンツ再生デバイスは、複数のポスターに隣接して水平方向にスライドするようにしてもよい。また、ポスター部は複数のポスターを縦に並べて設置し、コンテンツ再生デバイスは、複数のポスターに隣接して垂直方向にスライドするようにしてもよい。さらに、ポスター部は複数のポスターを水平方向および縦方向に並べて設置し、コンテンツ再生デバイスは、複数のポスターに隣接して垂直方向および水平方向にスライドするようにしてもよい。
【００１８】
コンテンツ再生デバイスは、ユーザが規定時間を越えてコンテンツ再生デバイスをスライドまたは操作しない場合に、待ち受け画面を表示することが望ましい。
【発明の効果】
【００１９】
本発明によれば、ポスター広告等の実オブジェクト情報に興味を持ったユーザが、特別な機器を必要とすることなく、直感的な操作で、関連する情報を実オブジェクト情報に加えて得ることが可能で、また、情報提供者がユーザに対し情報提供の機会を増やす仕組みを備えた情報表示装置を提供することが可能になる。
【発明を実施するための最良の形態】
【００２０】
以下、図面に基づいて本発明の形態を詳細に説明する。
図１は、本発明の実施の形態にかかる情報表示装置の概念構成図、図２は、ポスター識別用センサの説明図、図３は、情報表示装置のシステム構成図、図４は、ショッピング・モール入口の広告を例とした情報表示装置と待ち受け画面の説明図、図５は、待ち受け画面表示処理の流れを示すフローチャート、図６は、コンテンツ表示方法の説明図、図７は、クーポン発行処理の流れを示すフローチャート、図８は、座席予約処理の流れを示すフローチャート、図９は、複合シネマの入口の広告を例とした情報表示装置と座席予約処理の説明図、図１０は、選挙ポスターを例とした情報表示装置の説明図、図１１は、情報表示装置のバリエーションの説明図である。
【００２１】
図１に示すように、本実施の形態の情報表示装置１は、複数のポスター（３−１〜３−５）を設置可能なポスター部３と、コンテンツを再生するためのコンテンツ再生デバイス５、コンテンツ再生デバイス５をポスター部３に隣接して移動にするスライド部７等からなる。同図では、脚部１９を設け、ポスター部３およびコンテンツ再生デバイス５が、ユーザが立った状態で見やすく、スライド操作等がしやすい高さになるような構造としたが、情報表示装置１の構造は、このような脚部１９がなくてもよく、壁掛け式等であってもよい。
【００２２】
ポスター部３には、複数のポスター（同図では３−１〜３−５の５枚）を設置することができる。ポスター（３−１〜３−５）は紙媒体の印刷物として説明するが、それに限るものではない。
コンテンツ再生デバイス５は、液晶表示装置等のディスプレイ５１を備える。このほか、コンテンツ再生デバイス５はスピーカ５３を出力装置として備えても良い。さらに、コンテンツ再生デバイス５１は、入力装置を備えるとよく、例えば、ディスプレイ５１には図示されていないタッチパネル機能やポインティング・デバイスを具備するとよい。また、入力装置として、ＩＣカードリーダ５５を備えるとよく、これにより、後述するように、ユーザに対するサービスの幅を広げることが可能になる。
【００２３】
スライド部７にはコンテンツ再生デバイス５がスライド可能なレールが設置され、このレールにコンテンツ再生デバイス５がはめ込まれている。ユーザがコンテンツ再生デバイス５を持ってＡ方向またはＡ’方向に力を加えることにより、コンテンツ再生デバイス５は、レール上を力の方向に自在にスライド移動する。
ユーザがコンテンツ再生デバイス５を移動させ、興味のあるポスターに隣接する場所にコンテンツ再生デバイス５を止めると、ディスプレイ５１やスピーカ５３に、隣接するポスターについての情報であるコンテンツが出力される。コンテンツの出力手法については後述する。
【００２４】
図２は、ポスター識別用センサの説明図である。ユーザがコンテンツ再生デバイス５を移動させた場合に、情報表示装置１は、まず、コンテンツ再生デバイス５がどの位置に移動し、どのポスターに隣接する位置に止まったかを識別する必要がある。
このポスター識別方法として種々の方法が考えられるが、その例として、同図(ａ)および（ｂ）を説明する。
同図（ａ）はスイッチによるポスター位置識別方法である。コンテンツ再生デバイス５にスイッチ部１３を設けるとともに、スライド部７のコンテンツ再生デバイスのスイッチ部１３が接する位置に、各ポスター３（３−１〜３−３・・・）に対応して位置センサ部１１（１１−１〜１１−３・・・）が設けられる。
各位置センサ（１１−１〜１１−３・・・）は、コンテンツ再生デバイス５のスイッチ部１３との接触を感知し、オンとする。位置センサ（１１−１〜１１−３・・・）は後述する図示されていない制御装置９と接続されており、オンとなった位置センサ（１１−１〜１１−３・・・）からの情報により、制御装置９はコンテンツ再生デバイス５がどのポスターの位置に止まったかを識別する。
【００２５】
一方、同図（ｂ）の方法は、ＩＣタグを利用する方法である。各ポスター３（３−１〜３−３・・・）の裏側等にＩＣタグ（１７−１〜１７−３・・・）を取り付ける。各ＩＣタグ１７（１７−１〜１７−３・・・）には、各ポスター３（３−１〜３−３・・・）の識別番号等の情報を前もって記録しておく。一方、コンテンツ再生デバイス５にＩＣタグリーダ１５を装備する。ＩＣタグリーダ１５は、後述する図示されていない制御装置９と接続される。
コンテンツ再生デバイス５をユーザが移動させ、所望の位置で止めた場合、隣接するポスター３のＩＣタグ１７情報をＩＣタグリーダ１５で読み込むことにより、ＩＣタグ１７に記録されているポスター識別番号等の隣接ポスターに対応する情報が読み出され、ＩＣタグリーダ１５に接続されている制御装置９に送られる。
ＩＣタグ１７およびＩＣタグリーダ１５としては、隣接するポスター３を識別するため、通信距離の短い（例えば１０ｃｍ以内）のものを使用する必要がある。
【００２６】
図３は、制御装置９を含む、情報表示装置１のシステム構成の１例を示す図である。
情報表示装置１は、既に説明したポスター部３、コンテンツ再生デバイス５、スライド部７、および、位置センサ部１１とスイッチ部１３、あるいは、ＩＣタグ１７とＩＣタグリーダ１５に加えて、制御装置９を備える。
制御装置９は、情報処理装置の内部あるいは外部に設けられたコンピュータ・システムであり、コンテンツ再生デバイス５、および、位置センサ部１１またはＩＣタグリーダ１５と接続され、位置センサ部１１あるいはＩＣタグリーダ１５からの情報により特定されたポスター３に対応するコンテンツをコンテンツ再生デバイス５に出力する処理等を実行する。
【００２７】
制御装置９は、制御部９１、入力部９２、出力部９３、メディア入出力部９４、通信制御部９５、記憶部９６、入出力インタフェース９７等からなり、それらがバス９８に接続されている。
制御部９１は、ＣＰＵ（Central Processing Unit）、ＲＯＭ（Read Only Memory）、ＲＡＭ(Random Access Memory）、タイマー等よりなり、コンテンツ再生処理等の情報処理装置１の制御を実行する。
入力部９２は、コンテンツ再生デバイス５に装備されたタッチパネルのほか、制御装置９の保守等に使用するためのキーボード、ポインティング・デバイスが接続される。
また、出力部９３は、コンテンツ再生デバイス５に装備されたディスプレイ５１、スピーカ５３、制御装置９保守用の表示装置、プリンタ等が接続される。
【００２８】
さらに、メディア入出力部９４は、ＣＤ−ＲＯＭやＤＶＤの入出力装置、コンテンツ再生デバイス５に装備されたＩＣカードリーダ（ライタ）等が接続される。コンテンツを記録したＣＤ−ＲＯＭやＤＶＤをこの入出力装置で読み込むことを可能にする。
記憶部９６はハードディスク装置からなり、プログラムやデータ、コンテンツ等が格納される。また、入出力インタフェース９７は、例えばＲＳ−２３２ＣやＵＳＢ等であり、例えば、位置センサ１１等が接続される。
【００２９】
制御装置９は、通信制御部９５を装備してもよい。無線あるいは有線の通信ポートを介して例えばインターネット等のネットワーク１００に接続される。これにより、制御装置９は、ネットワーク１００に接続されたメール・サーバ１０３や、データベース・サーバ１０５、ＰＯＳシステム１０７、空席予約システム１０９、ＩＣカード支払いシステム１１１等を使用したサービスを情報表示装置１で提供することが可能になる。これらのサービスについては後述する。
各ポスター３に対応するコンテンツは、制御装置９内の記憶部９６に格納しておいてもよいし、データベース・サーバ１０５内に格納しておき、ネットワーク１００を介して制御装置９に読み込み、コンテンツ再生デバイス５で再生するようにしてもよい。
【００３０】
図４は、ショッピング・モールの入口に本発明の情報表示装置１を設置する場合を例とした説明図である。
例えば、ポスター部３には店舗を紹介する複数のポスターが配置される。ここでは、ＣＤショップ３−１、アパレル店３−２、雑貨屋３−３、本屋３−４、カフェ３−５の５枚のポスターが設置されているものとする。
ショッピング・モールを訪れるお客がユーザであり、ユーザは上記のポスターを見て、興味のあるポスターに隣接する位置にコンテンツ再生デバイス５をスライド移動させることができる。
【００３１】
このとき、コンテンツ再生デバイス５の利用方法を示すために、未使用時にはコンテンツ再生デバイス５のディスプレイ５１に待ち受け画面５１１を表示しておくとよい。
情報表示装置１の前に立ったお客は、ポスター部３を見るとともに、コンテンツ再生デバイス５が動かせることを知り、待ち受け画面５１１の表示に従ってコンテンツ再生デバイス５を移動させることが可能になる。
【００３２】
図５は、待ち受け画面表示処理の流れを示すフローチャートである。
ユーザによるコンテンツ再生デバイス５の移動や、ディスプレイ５上のタッチパネル操作、ＩＣカードリーダ５５へのＩＣカード読み込みが前もって定めた一定時間（例えば１分）ない場合に、待ち受け画面５１１を表示するものである。
待ち受け画面表示処理のプログラムやデータは、制御部９１のＲＯＭまたは記憶部９６に格納されており、制御部９１のＣＰＵにより実行される。
まず、制御装置９内の制御部９１のタイマーｔをリセットしてから駆動する（ステップ１００１）。次に、コンテンツ再生デバイス５の移動や、タッチパネル操作、ＩＣカード読み込み等のユーザ操作があったか否かを判定する（ステップ１００２）。
【００３３】
ユーザ操作があった場合（ステップ１００２のｙｅｓ）には、ユーザ操作によるイベントに対応する処理を実行する（ステップ１００３）。例えば、コンテンツ再生デバイス５がスライド移動した場合には、移動後に隣接したポスター３に対応するコンテンツの出力を実行し、タッチパネル操作があった場合には、タッチパネル入力に対応する処理が実行される。これらの処理については後述する。
ステップ１００３の後、ステップ１００１に戻る。
【００３４】
一方、ユーザ操作がない場合（ステップ１００２のｎｏ）には、タイマーの時間ｔが一定時間（例えば１分）以内か否かを判定する（ステップ１００４）。一定時間以内であれば（ステップ１００４のｎｏ）、ステップ１００２に戻る。タイマーの時間ｔが一定時間を超えた（例えば１分以上）場合（ステップ１００４のｙｅｓ）は、待ち受け画面５１１のデータを例えば記憶部９６から呼び出し、コンテンツ再生デバイス５のディスプレイ５１に表示し、ステップ１００２に戻る。
以上の処理により、コンテンツ再生デバイス５のスライド移動が一定時間以上ない場合や、コンテンツの表示中あるいはコンテンツの処理中にユーザが情報表示装置１の前から立ち去ってしまった場合に、待ち受け画面５１１をディスプレイ５１に表示して次のユーザ操作に備えることが可能になる。
【００３５】
次に、コンテンツ再生デバイス５をスライド移動させた場合のコンテンツ出力処理について説明する。図６は、コンテンツ出力処理のフローチャート（同図(ａ)）とその説明図（同図（ｂ））である。
ここでは、コンテンツ再生デバイス５の位置をスイッチで識別する場合（図２（ａ））について説明する。
【００３６】
まず、制御装置９の制御部９１内のＲＡＭあるいは記憶部９６に、スイッチがオン状態の位置センサ１１の番号（スイッチ番号）と、その位置に設置してあるポスターの識別番号（ポスターＩＤ）、そのポスターＩＤに対応するコンテンツの識別番号（コンテンツＩＤ）の対応関係を示すコンテンツＩＤ検索テーブル１１００を用意する（同図（ｂ））。
コンテンツＩＤ検索テーブル１１００において、スイッチ番号（１〜５）は、位置センサ（１１−１〜１１−５）に対応しており、それぞれの位置にその時点に設置されているポスターＩＤを格納しておく。また、各ポスターＩＤに対応するコンテンツは、記憶部９６あるいはデータベース・サーバ１０５のコンテンツＤＢ１０５１に格納されているが、コンテンツＤＢ１０５１内でのコンテンツの位置を示すコンテンツＩＤを、ポスターＩＤに対応してコンテンツＩＤ検索テーブル１１００内に格納しておく。
ポスターを張り替えた場合等には、張り替えた位置のスイッチ番号に対応するポスターＩＤとコンテンツＩＤを更新する作業を行えばよい。
【００３７】
次に、コンテンツ再生デバイス５を移動した場合の処理（同図（ａ））を説明する。この処理プログラムも制御部９１のＲＯＭあるいは記憶部９６に格納されており、制御部９１のＣＰＵにより実行される。
いずれかの位置センサ１１（１１−１〜）からのオン情報が制御装置９の入出力インタフェース９７を介して入力されると、その位置センサ１１の番号をスイッチ番号としてコンテンツＩＤ検索テーブルを検索し、ポスターＩＤおよびコンテンツＩＤを読み出す（ステップ１１０１）。
そして、コンテンツＤＢ１０５１にアクセスし、コンテンツＩＤに対応するコンテンツを読み出し、コンテンツ再生デバイス５のディスプレイ５１やスピーカ５３に出力する処理を実行する（ステップ１１０２）。
【００３８】
以上の処理により、コンテンツ再生デバイス５がスライド部７に沿って移動した場合、隣接するポスター３に対応するコンテンツがコンテンツ再生デバイス５に出力することが可能になる。
【００３９】
次に、コンテンツがユーザによるインタラクティブな操作を含む場合について説明する。
図７は、図４に示したポスター部３のなかのＣＤショップ３−１の位置にユーザがコンテンツ再生デバイス５を動かした場合を例としたコンテンツ処理の流れを示すフローチャートである。
ユーザがＣＤショップ３−１のポスター位置にコンテンツ再生デバイス５を移動させると、図６に示したように、制御装置９の制御部９１により、このポスターに対応するコンテンツを再生する。すなわち、位置センサ１１によるスイッチ番号（例えばスイッチ番号１）からポスターＩＤ（例えばポスターＩＤ００１）が検索され、対応するコンテンツＩＤ（例えばコンテンツＩＤ１２１１）からコンテンツ・データベース１０５１のＣＤショップのコンテンツが検索され、コンテンツ再生デバイス５で再生される（ステップ１２０１）。
【００４０】
コンテンツには、例えば、ＩＣカードの提示に従って、ユーザの携帯電話にクーポン・メールを発行するプログラム等のプログラムを含めておく。このプログラムを制御部９１が実行することにより、クーポン・メール発行等の種々のサービスを実現できる。
このようなサービスを実行する場合、図３に示したように、制御装置９は通信制御部９５を介してネットワーク１００に接続され、メール・サーバ１０３やデータベース・サーバ１０５等に接続される。
データベース・サーバ１０５には、例えば、ＩＣカードのカード番号からユーザの携帯電話のメール・アドレスが検索できるユーザ・アドレス・データベース１０５２が設けられる。
【００４１】
ＣＤショップのコンテンツでは、例えば、図７に示すように、視聴クーポン付きの商品紹介がディスプレイ５１に表示される。例えば、「視聴クーポン差し上げます。ＩＣカードをかざして下さい」というユーザへのメッセージをコンテンツで表示することにより、視聴クーポンを欲しいユーザは、例えばＦｅｌｉｃａカードのようなＩＣカードをＩＣカードリーダ５５にかざす（Ｆｅｌｉｃａはソニー株式会社の登録商標）。
コンテンツ内のプログラムに従い、制御部９１は、ユーザがＩＣカードをＩＣカードリーダ５５にかざすか否かを判定する（ステップ１２０２）。ユーザがＩＣカードをかざさない場合は（ステップ１２０２のｎｏ）は、ＣＤショップ・コンテンツの処理を終了する。この場合、図５に示した待ち受け画面表示処理により、規定時間以上、ＩＣカードがかざされないか、または、コンテンツ再生デバイス５のスライド移動がないと、ディスプレイ５１には待ち受け画面５１１が表示される。
【００４２】
ＩＣカードがかざされると（ステップ１２０２のｙｅｓ）、コンテンツに含まれるプログラムに従い、視聴クーポンを発行する処理が実行される（ステップ１２０３〜）。
すなわち、制御部９１は、まず、ＩＣカードリーダ５５によって読み取られ、メディア入出力部９４を介して入力されたＩＣカードの情報（例えばＩＣカード番号）とともに、クーポン・メール発行を依頼する指示を通信制御部９５からネットワーク１００を介してメール・サーバ１０３に送る（ステップ１２０３）。
その後、制御部９１は、クーポン・メールを発行中であることをユーザに示すための表示（例えば、「クーポンを携帯電話の送信中です」）をコンテンツ再生デバイス５のディスプレイ５１に表示する（ステップ１２０４）。
制御部９１の処理は以上で終了し、クーポン・メールの発行はメール・サーバ１０３によって実行される。
【００４３】
まず、メール・サーバ１０３は、ネットワーク１００を介して情報表示装置１の制御装置９から送られたＩＣカード番号等の情報とクーポン・メール発行指示を受け取り、データベース・サーバ１０５１にアクセスし、ユーザ・アドレス・データベース１０５２からＩＣカード・ユーザの携帯電話等のメール・アドレスを受け取る（ステップ１２１１）。
メール・サーバ１０３は、情報表示装置１から受け取ったクーポン・メール発行指示に従ってクーポン・メールを作成し（ステップ１２１２）、ステップ１２１１で得たメール・アドレスに対してクーポン・メールを送信する（ステップ１２１３）。
以上の処理により、クーポン・メールが、ＩＣカードリーダ５５にＩＣカードをかざしたユーザにクーポン・メールが送信され、ユーザはクーポン・メールを受け取ることが可能である。
【００４４】
以上の説明では、クーポン・メールは、ネットワーク１００に接続されたメール・サーバ１０３によって発行されたが、メール・サーバ１０３は情報表示装置１に直接接続してもよい。
また、クーポンをメール媒体ではなく、情報表示装置１に装備した印刷装置によって発行してもよい。
【００４５】
図８は、図４に示したポスター部３のなかのカフェ３−５の位置にユーザがコンテンツ再生デバイス５を動かした場合を例としたコンテンツ処理の流れを示すフローチャートである。
ユーザがカフェ３−５のポスター位置にコンテンツ再生デバイス５を移動させると、図６に示したように、制御装置９の制御部９１により、このポスターに対応するコンテンツを再生する。すなわち、位置センサ１１によるスイッチ番号（例えばスイッチ番号５）からポスターＩＤ（例えばポスターＩＤ０１０）が検索され、対応するコンテンツＩＤ（例えばコンテンツＩＤ２１１１）からコンテンツ・データベース１０５１のＣＤショップのコンテンツが検索され、コンテンツ再生デバイス５で再生される（ステップ１２０１）。
【００４６】
このコンテンツでは、例えば、お勧めメニューの表示や、空席情報の検索、座席予約等のサービス・プログラムが含まれる。
このようなサービスを実行するために、図３に示したように、制御装置９は通信制御部９５を介してネットワーク１００に接続され、メール・サーバ１０３やデータベース・サーバ１０５、カフェのＰＯＳシステム１０７、空席予約システム１０９等に接続される。
【００４７】
カフェのコンテンツとして、コンテンツ再生デバイス５のディスプレイ５１には、図８に示すように、「本日のお勧めは・・・」といったリアルタイムの情報や、「空席情報・予約」のタッチパネル入力キー５７１が表示される（ステップ１３０１）。
このとき、制御部９１は、コンテンツのプログラムに従って、ネットワーク１００を介してカフェに設けられた例えばＰＯＳシステム１０７から「本日のお勧めメニュー」のデータを読み出す。カフェでは、ＰＯＳシステム１０７の「本日のお勧めメニュー」データを随時書き換えることにより、情報表示装置１にリアルタイムで「本日のお勧めメニュー」等のデータを送り表示することが可能になる。
【００４８】
ユーザは、ディスプレイ５１の表示を見て、カフェに興味を持てば「空席情報・予約」のタッチパネル入力キー５７１を押す。
制御部９１は、タッチパネル入力キー５７１が押された場合、コンテンツのプログラムに従い、空席情報検索や予約処理を実行する。
すなわち、制御部９１は、まず、タッチパネル操作の有無を判定する（ステップ１３０２）。タッチパネル操作がない場合（ステップ１３０２のｎｏ）は、カフェ・コンテンツの処理を終了する。この場合、図５に示した待ち受け画面表示処理により、規定時間以上、タッチパネル操作がないか、または、コンテンツ再生デバイス５のスライド移動がないと、ディスプレイ５１には待ち受け画面５１１が表示される。
【００４９】
タッチパネルが操作されると（ステップ１３０２のｙｅｓ）、制御部９１は、通信制御部９６を介してネットワーク１００に接続されたカフェの空席予約システム１０９にアクセスし、空席数データの送信を依頼する。
空席予約システム１０９は、ネットワーク１００を介して、空席数データを情報表示装置１に送信し（ステップ１３３１）、情報表示装置１の制御部９１は、空席数データを受け取り、ディスプレイ５１に表示する（ステップ１３０３）。例えば、「只今の空席数は１席です。予約しますか？」というように表示する。また、予約が可能なように、「予約する」のタッチパネル入力キー５７３も表示する。
このとき、空席数データ（ここでは「１」が表示コンテンツに埋め込まれて表示される）。
【００５０】
ユーザは、座席を予約したい場合には「予約する」の入力キー５７３を押す。
よって、制御部９１は、タッチパネル操作の有無を判定する（ステップ１３０４）。タッチパネル操作がない場合には（ステップ１３０４のｎｏ）、カフェ・コンテンツ処理を終了する。一方、タッチパネル操作があった場合には（ステップ１３０４のｙｅｓ）、予約画面の表示処理を行う（ステップ１３０５）。すなわち、例えば、予約人数のタッチパネル入力キー５７４を表示するとともに、ＩＣカードをかざすようユーザに促す表示を行う。
【００５１】
制御部９１は、再びタッチパネル操作の有無を判定し（ステップ１３０６）、タッチパネル操作がない場合（ステップ１３０６のｎｏ）には、カフェ・コンテンツの処理を終了する。ユーザが予約人数をタッチパネルで入力した場合（ステップ１３０６のｙｅｓ）には、次に、ＩＣカードがかざされたか否かを判定する（ステップ１３０７）。ＩＣカードがかざされない場合は（ステップ１３０７のｎｏ）、カフェ・コンテンツの処理を終了する。一方、ＩＣカードがかざされた場合には（ステップ１３０７のｙｅｓ）、再び、ネットワーク１００を介して空席予約システム１０９にアクセスし、ＩＣカードリーダ５５で読み取ったＩＣカード番号等のＩＣカード情報と予約人数のデータとともに、予約処理を依頼する（ステップ１３０８）。
その後、制御部９１は、ディスプレイ５１に予約処理中である旨の表示を行い（ステップ１３０９）、処理を終了する。
実際の空席予約処理や、席が確保された場合の通知メール送信処理等は、カフェの空席予約システム１０９に実行させればよい。
【００５２】
空席予約システム１０９は、情報表示装置１からのアクセスにより空席予約処理を実行する（ステップ１３５１〜）。
すなわち、空席予約システム１０９は、制御部９１がネットワーク１００を介して送信したＩＣカード番号等のＩＣカード情報と予約人数データ、予約依頼を受け取り、まず、例えば、ユーザ・アドレス・データベース１０５２にアクセスし、ＩＣカードの所有ユーザの携帯電話等のメール・アドレスを調べる（ステップ１３５１）。
次に、予約人数とメール・アドレスを登録して予約処理を行い（ステップ１３５２）、予約処理を完了した旨の予約完了メールを該当するメール・アドレスに送信する（ステップ１３５３）。これにより、ユーザは予約が完了したことを確認できる。
この後、予約人数分の座席が空いたか否かを判定し（ステップ１３５４）、予約人数分の座席が空いた時点で（ステップ１３５４のｙｅｓ）、先のメール・アドレスに座席が確保できた旨のメールを送信し（ステップ１３５５）、処理を終了する。
以上の処理により、ユーザは情報表示装置１の場所でカフェに行かなくても座席予約を行うことが可能になる。
【００５３】
図９は、複数の映画を同時上映する複合シネマの入り口に情報表示装置１を設置する場合を例とした実施例である。
同図に示すように、ポスター部３には、複合シネマで同時上映される映画の複数のポスター（３−１〜３−５）が設置される。複合シネマを訪れた客は、情報表示装置１の前に立って、興味のある映画を見つけ、コンテンツ再生デバイス５をそのポスター（例えば３−１や３−４）の下に移動する。
このユーザの操作により、図６に示したように、制御装置９の制御部９１は、このポスター（例えば３−１）に対応するコンテンツを再生する。すなわち、位置センサ１１によるスイッチ番号（例えばスイッチ番号１）からポスターＩＤ（例えばポスターＩＤ００１）が検索され、対応するコンテンツＩＤ（例えばコンテンツＩＤ１２１１）からコンテンツ・データベース１０５１内のコンテンツが検索され、コンテンツ再生デバイス５で再生される（ステップ１２０１）。
【００５４】
複合シネマの場合、各ポスターの映画の予告編やあらすじ、スタッフ紹介をコンテンツ再生デバイス５のディスプレイ５１やスピーカ５３再生するとともに、空席照会やチケット購入、クーポン発行処理等を実行することが可能である。
このようなサービスを実行するために、図３に示したように、制御装置９は通信制御部９５を介してネットワーク１００に接続され、メール・サーバ１０３やデータベース・サーバ１０５、空席予約システム１０９、ＩＣカード支払いシステム１１１等に接続される。
【００５５】
例えば、ユーザがポスター部３のポスター３−１にコンテンツ再生デバイス５をスライド移動させると、コンテンツ再生デバイス５のディスプレイ５１に、図９のディスプレイ５１−１に示すように、情報表示装置１で再生および処理可能なメニューをタッチパネル入力で選択できるように表示される。すなわち、予告編やあらすじ、スタッフ等の再生可能な内容および空席照会等の処理可能な内容である。ユーザはこれらの中から選択し、タッチパネルに触れて入力する。
例えば、予告編やあらすじ、スタッフ照会の入力キーを選択すれば、それらのコンテンツがコンテンツ再生デバイス５により再生される。
【００５６】
また、空席予約の入力キーを選択すれば、ディスプレイ５１−２に示すように、情報表示装置１の制御部９１はネットワーク１００に接続されている空席予約システム１０９にアクセスし、各上映時間の空席情報データを空席予約システム１０９から受け取り、ディスプレイ５１に表示する。
同図に示すように、空席残数の他、チケット購入を選択可能なタッチパネル入力キーも表示される。ユーザがチケット購入キーを押すことにより、チケット購入画面が表示される。ユーザが支払い可能なＩＣカード等をＩＣカードリーダ５５に提示することにより、情報表示装置１の制御部９１はネットワーク１００に接続されている空席予約システム１０９およびＩＣカード支払いシステム１１１に接続され、支払い処理およびチケット発行処理が実行される。また、ディスプレイ５１−３に示すように、さらに、ユーザの携帯電話にクーポン等を送信することも可能である。
【００５７】
以上のように、情報表示装置１をメール・サーバ１０３やデータベース・サーバ１０５、ＰＯＳシステム１０７、空席予約システム１０９、ＩＣカード支払いシステム１１１等と接続することにより、情報表示装置１にポスター部３のそれぞれのポスター（３−１〜）に対応するコンテンツを再生するとともに、さまざまなサービスを提供することが可能になる。
【００５８】
図１０は、選挙ポスターを例とする情報表示装置１の実施例である。
同図に示すように、ポスター部３には複数の候補者のポスター（３−１〜３−５）を設置し、ユーザが、興味を持った候補者のポスターの下にコンテンツ再生デバイス５をスライド移動させることにより、その候補者の政権放送の映像や音声、略歴やこれまでの成果、政策内容等のコンテンツがディスプレイ５１やスピーカ５３により再生される。
以上に示すように、本発明の情報表示装置１は、複数のポスターのなかからユーザが興味を持ったポスターの位置に直感的な簡単な操作でコンテンツ再生デバイス５を移動させることにより、関連する情報や種々のサービスを提供することが可能である。ポスターと、そのポスターの関連情報を同時に見ることができる。本発明の情報表示装置１は、情報表示装置１を動かす操作そのものの面白さと、ポスターへのユーザの興味、ユーザ自身の操作の結果提供される情報に対するさらなる興味を相乗的に引き出すことが可能であり、それにより情報提供の機会を増やすことを可能にする。
【００５９】
図１１は、情報表示装置１の構造のバリエーションを示す図である。
情報表示装置１は、図１以下で示したように、ポスター部３に複数のポスター（３−１〜３−５）を横に並べて設置し、コンテンツ再生デバイス５を水平に左右にスライド移動させるような構造の他、種々の構造が可能である。
例えば、図１１（ａ）に示すように、ポスター部３のポスター（３−１〜３−５）を縦に並べて設置できるようにし、スライド部７のレールを縦方向に設置して、コンテンツ再生デバイス５を上下方向（Ｂ−Ｂ’方向）にスライド移動できるようにする。
また、同図（ｂ）に示すように、ポスター部３を情報表示装置１の全面に配置することも可能である。横方向のスライド部Ａ７１を設けることにより水平方向（Ａ−Ａ’方向）のスライド移動を可能にするとともに、縦方向のスライド部Ｂ７３により縦方向（Ｂ−Ｂ’方向）のスライド移動も可能である。ポスター部３に設置された複数のポスター（３−１〜３−１０）のいずれかのポスター位置にコンテンツ再生デバイス５を移動させることにより、そのポスターに関するコンテンツをコンテンツ再生デバイス５で再生することが可能になる。
【００６０】
尚、本発明は、前述した実施の形態に限定されるものではなく、種々の改変が可能であり、それらも、本発明の技術範囲に含まれる。
例えば、本実施の形態では、情報表示装置１による任意のポスターのコンテンツ再生の他、情報表示装置１をメール・サーバ１０３、データベース・サーバ１０５、ＰＯＳシステム１０７、空席予約システム１０９、ＩＣカード支払いシステム１１１等とネットワーク１００を介して接続し、クーポン発行や空席照会予約、チケット購入等のサービスについて説明したが、システム構造やサービス内容はこれに限るものではなく、種々のシステム構築や、これ以外のサービスも提供することが可能で、それらも本発明の技術範囲に含まれる。
また、情報表示装置１の構造として、直立型あるいは壁掛け型の構造を説明したが、水平面にポスター部３を配置し、コンテンツ再生デバイス５を水平面上でスライド移動させるようにしてもよい。
【図面の簡単な説明】
【００６１】
【図１】本発明の実施の形態にかかる情報表示装置１の構成図
【図２】ポスター・センサ部の説明図
【図３】情報表示装置１のシステム構成図
【図４】ショッピング・モール入り口に設置する情報表示装置１の実施例
【図５】待ち受け画面処理の流れを示すフローチャート
【図６】コンテンツ再生処理の流れを示すフローチャート
【図７】ＣＤショップ・コンテンツ（クーポン発行）処理の流れを示すフローチャート
【図８】カフェ・コンテンツ（空席照会・予約）処理の流れを示すフローチャート
【図９】複合シネマに設置する情報表示装置１の実施例
【図１０】選挙ポスターとしての情報表示装置１の実施例
【図１１】情報表示装置１の構造バリエーションを示す図
【符号の説明】
【００６２】
１………情報表示装置
３………ポスター部
５………コンテンツ再生デバイス
５１………ディスプレイ
５３………スピーカ
５５………ＩＣカードリーダ
７………スライド部
１００………ネットワーク
１０３………メール・サーバ
１０５………データベース・サーバ
【図１】
0004672543.tif 000002
【図２】
0004672543.tif 000003
【図３】
0004672543.tif 000004
【図４】
0004672543.tif 000005
【図５】
0004672543.tif 000006
【図６】
0004672543.tif 000007
【図７】
0004672543.tif 000008
【図８】
0004672543.tif 000009
【図９】
0004672543.tif 000010
【図１０】
0004672543.tif 000011
【図１１】
0004672543.tif 000012